(57)【要約】【課題】  良好な伝達行動を示し、かつ安価で製造技術的に簡単に形成される、自動車用の熱伝達体、特に自動車の暖房設備または空調設備用の冷凍剤を冷却するためのクーラーを提供する。【解決手段】  自動車のための熱伝達体、特に自動車の暖房設備または空調設備用の冷凍剤を冷却するためのクーラーである。冷凍剤のような第１の媒体のための流入開口部（１８）と流出開口部（２０）を有し、  ２つの隔たった集合管装置（１０、１２）を形成する複数の集合管（２２、２４、２６、２８）を有する。これら集合管装置（１０、１２）の間に配置された複数の接続管（１４ａ、１４ｂ、１６ａ、１６ｂ）を有し、前記接続管は２つの集合管装置（１０、１２）を流れ技術的に接続するために、それぞれその一方の端部において一方の集合管装置（１０）内へ連通し、その他方の端部において他方の集合管装置（１２）内へ連通する。これら接続管（１４ａ、１４ｂ、１６ａ、１６ｂ）は、第１の媒体によって並列に貫流可能な、少なくとも２つの並んだ管列（３０ａ、３０ｂを形成するように、配置されており、前記管列はそれぞれ、集合管装置（１０、１２）の長手方向（１０ａ、１０ｂ）に互いに連続する複数の接続管（１４ａ、１４ｂ、１６ａ、１６ｂ）によって形成され、前記接続管の間にそれぞれ、空気貫流（４２）のための間隙（３６ａ、３８ａ、４０ａ、３６ｂ、３８ｂ、４９ｂ）が形成される。集合管装置（１０、１２）の少なくとも１つが方向変換装置として、管列（３０ａ、３０ｂ）の各々の中で第１の媒体の流れ方向が２つの集合管装置（１０、１２）の間で少なくとも１回方向変換されるように作用する。管列（３０ａ、３０ｂ）内で、集合管装置（１０、１２）の間の流れ方向の交替の数が、同一である。【選択図】図１
2007532856.tif 000002
【特許請求の範囲】
【請求項１】
自動車のための熱伝達体、特に自動車の暖房設備または空調設備用の冷凍剤を冷却するためのクーラーであって、
冷凍剤のような第１の媒体のための流入開口部（１８）と流出開口部（２０）を有し、
２つの隔たった集合管装置（１０、１２）を形成する複数の集合管（２２、２４、２６、２８）を有し、かつ
これら集合管装置（１０、１２）の間に配置された複数の接続管（１４ａ、１４ｂ、１６ａ、１６ｂ）を有し、前記接続管は２つの集合管装置（１０、１２）を流れ技術的に接続するために、それぞれその一方の端部において一方の集合管装置（１０）内へ連通し、その他方の端部において他方の集合管装置（１２）内へ連通し；
これら接続管（１４ａ、１４ｂ、１６ａ、１６ｂ）は、第１の媒体によって並列に貫流可能な、少なくとも２つの並んだ管列（３０ａ、３０ｂを形成するように、配置されており、前記管列はそれぞれ、集合管装置（１０、１２）の長手方向（１０ａ、１０ｂ）に互いに連続する複数の接続管（１４ａ、１４ｂ、１６ａ、１６ｂ）によって形成され、前記接続管の間にそれぞれ、空気貫流（４２）のための間隙（３６ａ、３８ａ、４０ａ、３６ｂ、３８ｂ、４９ｂ）が形成され、
集合管装置（１０、１２）の少なくとも１つが方向変換装置として、管列（３０ａ、３０ｂ）の各々の中で第１の媒体の流れ方向が２つの集合管装置（１０、１２）の間で少なくとも１回方向変換されるように作用する、自動車のための熱伝達体において、
管列（３０ａ、３０ｂ）内で、集合管装置（１０、１２）の間の流れ方向の交替の数が、同一であることを特徴とする、自動車のための熱伝達体。
【請求項２】
特に請求項１に記載の、自動車のための熱伝達体、特に自動車の暖房設備または空調設備用の冷凍剤を冷却するためのクーラーであって、
冷凍剤のような、第１の媒体のための流入開口部（１８）と流出開口部（２０）を有し、
２つの隔たった集合管装置（１０、１２）を形成する、複数の集合管（２２、２４、２６、２８）を有し、かつ
これら集合管装置（１０、１２）の間に配置された複数の接続管（１４ａ、１４ｂ、１６ａ、１６ｂ）を有し、前記接続管は２つの集合管装置（１０、１２）を流れ技術的に接続するために、その一方の端部において一方の集合管装置（１０）内へ連通し、その他方の端部において他方の集合管装置（１２）へ連通し；
これら接続管（１４ａ、１４ｂ、１６ａ、１６ｂ）は、第１の媒体によって貫流可能な、少なくとも２つの並んだ管列（３０ａ、３０ｂ）を形成するように、配置されており、前記管列はそれぞれ、集合管装置（１０、１２）の長手方向（１０ａ、１０ｂ）に互いに連続する複数の接続管（１４ａ、１４ｂ、１６ａ、１６ｂ）によって形成され、前記接続管の間にそれぞれ空気貫流（４２）のための間隙（３６ａ、３８ａ、４０ａ、３６ｂ、３８ｂ、４０ｂ）が形成され、
集合管装置（１０、１２）の少なくとも１つが、管列（３０ａ、３０ｂ）の各々の中で、第１の媒体の流れ方向が２つの集合管装置（１０、１２）の間で少なくとも１回方向変換されるように、方向変換装置として作用する、自動車のための熱伝達体において、
第１の媒体は、第１の集合管装置（１０）内へ流入する際に、第１の管列（３０ａ）と第２の管列（３０ｂ）の接続管（１４ａ、１６ａないし１４ｂ、１６ｂ）、特にフラット管への２つの部分流に分割されることを特徴とする、自動車のための熱伝達体。
【請求項３】
集合管装置（１０、１２）の各々が、異なる接続管列（３０ａ、３０ｂ）のために互いに異なる集合管（２２、２４、２６、２８）を有していることを特徴とする請求項１と２のいずれか１項に記載の熱伝達体。
【請求項４】
第１の熱伝達体部分（４４ａ）と第２の熱伝達体部分（４４ｂ）が、それぞれ；
−流入開口部と流出開口部；
−２つの隔たった集合管（２２、２６ないし２４、２８）；および
−集合管（２２、２６ないし２４、２８）の長手方向（２２ａ、２６ａないし２４ａ、２８ａ）に互いに連続する多数の接続管（１４ａ、１６ａないし１４ｂ、１６ｂ）であって、前記接続管は集合管（２２、２６ないし２４、２８）の間に流れ接続を形成するために、それぞれその一方の端部において一方の、その他方の端部において他方の集合管（２２、２６ないし２４、２８）に連通し、その場合に集合管長手方向（２２ａ、２６ａないし２４ａ、２８ａ）に互いに連続する接続管（１４ａ、１６ａないし１４ｂ、１６ｂ）が、接続管（１４ａ、１６ａないし１４ｂ、１６ｂ）に対して横方向に流れる空気流（４２）のためのそれぞれの間隙（３６ａ、３８ａ、４０ａないし３６ｂ、３８ｂ、４０ｂ）を形成しながら互いに隔たっており、かつその場合に２つの集合管（２２、２６ないし２４、２８）の少なくとも１つが方向変換装置として作用するので、それぞれ並列に貫流可能な接続管（１４ａ、１６ａないし１４ｂ、１６ｂ）の異なるグループが列をなして接続されており、それによって前記接続管が冷凍剤のような第１の媒体によって次々と逆方向に貫流可能である、前記多数の接続管（１４ａ、１６ａないし１４ｂ、１６ｂ）、
を有し、
それぞれの流入開口部とそれぞれの流出開口部の間で、冷凍剤のような第１の媒体のための、これら第１の熱伝達体部分（４４ａ）および第２の熱伝達体部分（４４ｂ）の流れガイドが、ほぼ同一に形成されており、かつ、一方で、これら熱伝達体部分（４４ａ、４４ｂ）の流入開口部が、そして他方ではこれら熱伝達体部分（４４ａ、４４ｂ）の流出開口部が、特にこれら熱伝達体部分（４４ａ、４４ｂ）が第１の媒体によって並行に貫流可能であるように接続されている、ことを特徴とする、特に請求項１から３のいずれか１項に記載の自動車のための熱伝達体、特に自動車の暖房設備または空調設備用の冷凍剤を冷却するためのクーラー。
【請求項５】
熱伝達体部分が、ほぼ同一に形成されていることを特徴とする請求項４に記載の熱伝達体。
【請求項６】
接続管（１４ａ、１４ｂ、１６ａ、１６ｂ）が、それぞれフラット管として形成されており、その場合に好ましくはフラット管の両方のそれぞれの端部領域（３２、３４）が、これらの端部領域（３２、３４）の間に位置するそれぞれの領域に対して、特に好ましくはそれぞれ９０°だけ、回動されていることを特徴とする請求項１から５のいずれか１項に記載の熱伝達体。
【請求項７】
フラット管のそれぞれ回動された端部領域がそれぞれ集合管内へ連通しており、その場合に連通領域内で接続管の、接続管長手軸に対して垂直に見る断面内に与えられる、断面のより長い側が集合管ないし集合管装置の長手軸と、８０°より小さい角度を形成し、このより長い側が、好ましくは連通領域内で長手軸に対して平行に方向付けされていることを特徴とする請求項６に記載の熱伝達体。
【請求項８】
熱伝達体部分（４４ａ、４４ｂ）および／または管列（３０ａ、３０ｂ）が、隣接して配置されていることを特徴とする請求項１から７のいずれか１項に記載の熱伝達体。
【請求項９】
空気貫流（４２）のための間隙（３６ａ、３８ａ、４０ａないし３６ｂ、３８ｂ、４０ｂ）内に、それぞれフィンが配置されていることを特徴とする請求項１から８のいずれか１項に記載の自動車のための熱伝達体。
【請求項１０】
集合管装置（１０、１２）が、それぞれ、円形ないしほぼ円形の内側横断面を有する複数の集合管によって形成されることを特徴とする請求項１から９のいずれか１項に記載の熱伝達体。
【請求項１１】
集合管装置（１０、１２）の少なくとも１つの集合管（２２、２４）内に、分離壁、特に集合管の長手方向にそれぞれの集合管の内部の領域を分離する、分離壁が与えられていることを特徴とする請求項１から１０のいずれか１項に記載の熱伝達体。
【請求項１２】
隣接する、逆方向に貫流可能な接続管の間に、熱的な分離が与えられており、前記分離が特に、同じ接続管列ないし同じ熱伝達体部分の他の隣接する接続管の間隔に比較して、これらの接続管の間隔がより大きいことによって形成されることを特徴とする請求項１から１１のいずれか１項に記載の熱伝達体。
【請求項１３】
自動車の客室を暖房および／または空調するための装置において、
本装置が、請求項１から１２のいずれか１項に記載の熱伝達体を有していることを特徴とする暖房および／または空調するための装置。
【請求項１４】
客室とこの客室を暖房および／または空調するための装置とを有する自動車において、
この客室を暖房および／または空調するための装置が、請求項１から１１のいずれか１項に記載の熱伝達体を有していることを特徴とする自動車。
【発明の詳細な説明】
【技術分野】
【０００１】
本発明は、自動車用の熱伝達体ないし熱交換器と特に自動車の暖房設備または空調設備用の冷凍剤を冷却するためのクーラーおよびこの種の熱伝達体を有する自動車の客室を暖房および／または空調するための装置とこの種の熱伝達体を有する自動車に関する。
【背景技術】
【０００２】
自動車の空調設備は、主として、冷凍剤循環を有している。冷凍剤として、最近二酸化炭素（ＣＯ２）の使用が増えている。ＣＯ２循環の低温出力は、決定的にガスクーラーによって定められる。この種のガスクーラーを形成する場合に、主として、これが高い温度においても圧力安定であって、わずかな内部体積を有し、かつ少ない重量を考慮しながら組込み空間を十分に利用することに留意される。出力を減少させる熱還流を最小限に抑えるために、この種のガスクーラーを設計し、ないしは自動車内に配置する場合に、冷凍剤貫流領域内の有意義な接続が判断基準となることができる。
【０００３】
本出願人の従来技術（たとえば、特許文献１を参照）は、クロスカウンターフロー接続が与えられている、ガスクーラーを開示している。この種の形態においては、互いに対して平行かつ隣接して配置されている、２つの集合管が設けられている。２つの集合管は、Ｕ字状に屈曲された多数のフラット管を介して接続されており、それらフラット管の自由端部がそれぞれ集合管の１つに連通している。これらフラット管は、集合管の長手方向に互いに連続しており、その場合に２つの隣接するフラット管の間にそれぞれ間隙が形成され、その間隙を通して空気が流れることができるので、フラット管内で案内される冷凍剤と流れる空気との間の熱伝達が可能にされる。フラット管パケットの同じ側に配置されている２つの集合管は、それぞれ、これら２つの集合管内にそれぞれ２つのチャンバが形成されるように、分割されている。一方の集合管の下方のチャンバは、移行片を介して他方の集合管の上方のチャンバと接続されている。この移行片は、ガスクーラーの任意の高さに配置することができ、貫流する冷凍剤の、空気とは反対の側から空気へ向いた側への、あるいはその逆のオーバーフローを許す。この形態の目的は、層状化された冷凍剤案内によって、すでに冷却された冷凍剤が暖かいエンジン還流によって再加熱されることを阻止することにある。
【０００４】
本出願人の他の従来技術（たとえば、特許文献２を参照）からは、４本の集合管を有し、そのうちの２本がそれぞれ対になって集合管装置を形成するように隣接して配置されている、ガスクーラーの形態が知られている。それによって形成される２つの集合管装置は、互いに対して隔たっており、かつ多数の接続管ないしガスクーラー管を介して流れ技術的に接続される。これらのガスクーラー管は、２つの隔たった平面内に延びており、ないしは２つの管列を形成する。これらは、それぞれほぼまっすぐに形成されており、それらの遠位の端部がそれぞれ２つの集合管装置の１つに、ないしは別体の集合管に連通している。従ってこの形態においては、特許文献１から知られたフォーク状管ないしＵ字状に屈曲されたフラット管の代りに、それぞれ２本の等しい長さの管が使用される。集合管内に、それぞれ２つの軸方向に互いに隔たったチャンバが形成される。ガスクーラー側においては、一方の集合管の下方のチャンバが移行片を介して他方の集合管の上方のチャンバと接続されている。接続管は、冷凍剤がまず端面平面全体を貫流し、次に移行片を通してその前またはその後ろに位置する端面平面に達するように接続されている。
【０００５】
上述した形態においては、面象限を互いに接続する移行片が必要である。この種の移行片の形成も取付けもコストがかかり、特に、象限の異なる温度が半田継目に付加的に負荷を与える場合に、非気密性をもたらす可能性がある。さらに、オーバーフローが狭い箇所を形成することがあり、それが冷凍剤側の圧力降下にマイナスの作用を及ぼす可能性があるので、その結果冷凍剤出力が低下する。さらに、オーバーフロー領域内で、低温出力のために１本から２本の管列が失われてしまう。パラレルフロー解決は、この構造によっては達成されない。
【０００６】
さらに他の従来技術（たとえば、特許文献３を参照）からは、２つの平行に配置されたフラット管列が形成されて、それらがそれぞれ２本の隣接する集合管を流れ技術的に接続する、熱交換器が知られている。集合管の流れ方向に隣接するフラット管の間で、それぞれの列内にそれぞれフィンが設けられており、それらのフィンを通して空気がフラット管の長手方向の広がりに対して横方向に熱伝達体を貫流することができる。供給部は、熱伝達体の同じ側において２つのフラット管列と接続されている。新しい空気へ向いた管列内で、流れ方向が１回交替し、新しい空気とは逆の側の管列内では、流れ方向が３回変化する。
【特許文献１】ドイツ特許出願第１０２２９９７３．０号
【特許文献２】ドイツ特許出願第１０２５２２６３．４号
【特許文献３】欧州特許明細書ＥＰ０４１４４３３Ｂ１
【発明の開示】
【発明が解決しようとする課題】
【０００７】
本発明の課題は、良好な伝達行動を示し、かつ安価で製造技術的に簡単に形成される、自動車用の熱伝達体、特に自動車の暖房設備または空調設備用の冷凍剤を冷却するためのクーラーを提供することである。
【課題を解決するための手段】
【０００８】
本発明によれば、請求項１に記載の熱伝達体または請求項２に記載の熱伝達体あるいは請求項４に記載の熱伝達体が提案される。自動車の客室を暖房および／または空調するための、本発明に基づく装置が、請求項１３の対象である。本発明に基づく自動車が、請求項１４の対象である。好ましい形態が、従属請求項の対象である。
【発明の実施の形態】
【０００９】
好ましくは、各集合管装置は、少なくとも２本の集合管を有している。特に好ましくは、各集合管装置は各接続管列のため、ないしは各熱伝達体部分のために、それぞれ別体の集合管を有している。その場合に特に、それぞれ同一の集合管装置のこれら集合管の長手軸は隔たっており、特にたとえば互いに対して平行に延びている。集合管は、複数の別々の、かつ特に同心の集合管部分によって形成することもでき、それら集合管部分は、特に間隙を形成しながら、あるいはこの種の間隙なしで、軸方向に隔たっている。
【００１０】
特に優遇すべき形態においては、２つの集合管列ないし２つの熱伝達体部分が設けられており、その場合に２つの集合管列はそれぞれ２つの平行かつ互いに対して変位して配置された接続管を有している。その場合にそれぞれ一方の集合管内へ、一方の接続管列ないし一方の熱伝達体部分の接続管が連通し、それぞれ他方の集合管内へ他方の管列ないし他方の熱伝達体部分の接続管が連通している。従ってその場合に、特に４本の集合管が設けられている。
【００１１】
好ましくは、熱伝達体部分は、それぞれほぼ同一に形成されている。それらはその流入開口部および／または流出開口部の位置によって異なっており、その他は同一に形成することができる。その場合にもちろん、好ましくは、流入開口部および／または流出開口部の異なる位置は、それにもかわわらずそれらが−異なる熱伝達体部分に関して−互いに対応する領域ないしチャンバ内へ連通するようにされている。
【００１２】
接続管は、好ましくはそれぞれフラット管である。その場合に特に好ましい形態においては、そのそれぞれの−両方の−端部領域は、その間に位置する領域に対して回動され、ないしは捻られている。捻り角度は、それぞれ好ましくは１０°と１１０°の間、特に好ましくは８０°と１００°の間にある。それは、たとえばほぼ９０°である。
【００１３】
特に好ましい形態において、フラット管は回動され、ないしは捻られた端部領域において、それぞれ集合管内へ、その断面が−フラット管の長手軸に対して垂直に見て−ほぼ集合管の長手軸の方向に延びるように、連通する。特に好ましくは、フラット管は−回動され、ないしは捻られた端部領域を別にして−その端部領域の間において、その横断面の長い方の側が集合管の長手軸に対して垂直に延びている。
【００１４】
接続管、特にフラット管は、それがその内部に正確に１つの通路を形成するように、あるいは、その内部にそれぞれ複数の、特にそれぞれ平行な通路を形成するように、形成することができる。全部の接続管は、好ましくはつながってまっすぐに形成されている。特に好ましくは、全部の接続管は、互いに対して平行である。好ましい形態において、全部の接続管は、等しい長さである。好ましくはさらに、全部の集合管が、等しい長さである。集合管は、好ましくはそれぞれ円形の内側断面を有している。集合管は、たとえばそれぞれ、そのそれぞれの長手軸に関してほぼ回転対称に形成することができる。
【００１５】
それぞれの接続管列ないしそれぞれの熱伝達体部分の接続管は、好ましくはそれぞれの１つの平面内に配置されている。特に優遇すべき形態において、それによって定められる、異なる接続管列ないし熱伝達体部分の平面は、互いに対して平行かつ変位して配置されている。
【００１６】
異なる接続管列ないし熱伝達体部分は、好ましい形態においては互いに対して、接続管列に対して横方向に流れる空気が次々に、接続管の間に形成される、異なる接続管列ないし熱伝達体部分の間隙を通って流れるように、配置されている。特に、特に第２の熱伝達媒体を形成する空気が、次々とないしは列内で、異なる接続管列ないし熱伝達体部分を通って、特に接続管の外部で、流れるようにされる。従って特に、第２の熱交換媒体、特に空気が、熱伝達をもたらすために、第１の熱交換媒体、特に冷凍剤をクロスフローで通過するように案内される。
【００１７】
好ましくは、それぞれの接続管列ないしそれぞれの熱伝達体部分内に、それぞれ複数の接続管が平行に接続されている。これは特に、それぞれの接続管列内でこの種の接続管の複数が並列に貫流され、次に−特に逆の流れ方向において−同一の接続管列ないし同一の熱伝達体部分の他の接続管が、同様に並列に貫流されるようにすることができる。これは、接続管列ないし熱伝達体部分当たり、それぞれ平行に貫流される接続管の複数のグループが、対応づけられた集合管によって、互いに連続するグループの接続管がそれぞれ第１の媒体、特に冷凍剤によって逆の流れ方向に貫流可能であるように、列をなして接続されるようにすることができる。特に、第１の媒体が熱伝達体部分ないし接続管列の各々の中で蛇行して案内されるようにすることができる。
【００１８】
その場合に、方向変換ないし、それぞれ互いに連続する、逆の流れ方向の数は、好ましくは熱伝達体部分ないし接続管列内で同一である。それぞれ流れ方向に並列に貫流される接続管のグループを形成する、接続管の数は、それぞれの接続管列ないしそれぞれの熱伝達体部分内で下流方向に増大し、あるいは減少し、あるいは同一であるようにすることができる。
【００１９】
その場合にこの種のグループの２つまたはそれより多いものが、それぞれの熱伝達体部分ないしそれぞれの接続管列内で、列をなして接続されている。他の形態も、効果的である。
【００２０】
少なくとも１つの集合管装置内に、好ましくは分離壁が挿入されている。特に好ましくは、同じ集合管装置の異なる集合管内に、それぞれ少なくとも１つの分離壁が設けられている。この種の分離壁は、特に、それが、該当する集合管の長手方向に互いに連続する領域ないしチャンバを分離するような、分離壁である。また、２つの集合管列ないし該当する集合管内に、それぞれ１つの分離壁が設けられるようにすることもできる。それぞれ同一の集合管装置の集合管内にそれぞれ複数の、軸方向に隔たった分離壁を設けることもでき、その場合に特に好ましくは同じ集合管装置の異なる集合管内の分離壁の数は同一である。
【００２１】
好ましくは、互いに連続して逆方向に貫流される接続管グループの間に、熱的な分離が設けられている。そのために、たとえば、これらのグループ間の隣接する接続管のピッチないし間隔を、それぞれのグループの内部よりも大きくすることができる。
【００２２】
２つの、ないしは隣接する熱伝達体部分は、互いに対して、それらが互いに接触するように、配置することができる。それらは、たとえば、互いに半田付けすることができる。集合管と接続管によって形成されるシステムの内部では、好ましくは、一方の媒体、冷凍剤のような、第１の媒体のみが流れる。その場合に、空気のような、第２の熱交換媒体は、駆動中は好ましくは、特に接続管の長手方向の延びに対して横方向に、接続管の外側を通過する。本発明に基づく熱伝達体ないし熱交換器は、好ましくはガスクーラーないし自動車のための凝縮器である。熱交換器は、好ましくはアルミニウムからなる。
【００２３】
本発明によれば、さらに、請求項１３に示す装置が提案される。
【００２４】
本発明によれば、さらに、請求項１４に示す自動車が提案される。好ましくは、本発明に基づく熱伝達体は自動車内に、熱伝達体部分ないし管列によってそれぞれ形成される平面が、走行方向に対して横方向、特に垂直に位置するように、組み込まれる。好ましくはさらに、本発明に基づく熱伝達体のためにベンチレータが設けられており、それが駆動中に空気を、接続管の間に形成される間隙を通して移動させる。好ましくは、熱交換器は、自動車の内燃機関に関して、冷凍剤入口の領域が内燃機関からの温かい空気の還流によって、冷凍剤出口の領域よりも強く暖められるように、配置されている。
【実施例】
【００２５】
以下、図面を用いて、本発明の実施例を説明する。
【００２６】
図１は、第１の集合管装置１０、第２の集合管装置１２、多数の接続管１４ａ、１４ｂ、１６ａ、１６ｂおよび、たとえば二酸化炭素（ＣＯ２）のような第１の媒体のための流入開口部１８と流出開口部２０を有する、本発明に基づく熱伝達体ないし熱交換器の例を示している。
【００２７】
熱伝達体１は、好ましくは、自動車の空調設備または暖房のためのガスクーラーないし凝縮器として使用することができる。その場合に、このガスクーラーないし凝縮器が、好ましい形態においてはＣＯ２である、冷凍剤によって貫流されるようにすることができる。
【００２８】
集合管装置１０、１２は、それぞれ２本の集合管２２、２４ないし２６、２８を有している。第１の集合管装置１０の集合管２２、２４および第２の集合管装置１２の集合管２６、２８は、それぞれ対をなして、特にその長手軸２２ａ、２４ａないし２６ａ、２８ａが平行かつ隔たって延びるように、隣接して配置されている。さらに、長手軸２２ａ、２２４ａが長手軸２６ａ、２８ａに対して平行に配置されており、ないしは第１の集合管装置１０の長手軸１０ａが、第２の集合管装置１２の長手軸１２ａに対して平行に配置されている。
【００２９】
熱伝達体１は、２つの管列３０ａ、３０ｂを有している。これらの管列３０ａ、３０ｂは、それぞれ多数の接続管１４ａ、１６ａないし１４ｂ、１６ｂによって形成され、それらは−集合管装置１０、１２の長手方向１０ａ、１２ａに見て−互いに連続しており、その場合にこれらの接続管１４ａ、１６ａないし１４ｂ、１６ｂの長手軸は、互いに対して平行に整合されている。
【００３０】
管列３０ａは、管列３０ｂに隣接して配置されており、その場合に第１の管列３０ａの複数ないし全部の接続管１４ａ、１６ａが、それぞれ第１の集合管装置１０の第１の集合管２２を第２の集合管装置１２の第１の集合管２６と接続し、かつその場合に第２の管列３０ｂの複数または全部の接続管１４ｂ、１６ｂが、それぞれ第１の集合管装置１０の第２の集合管２４を第２の集合管装置１２の第２の集合管２８と接続する。管列３０ａないし３０ｂに属する接続管は、１つの平面内に位置している。複数または全部の接続管１４ａ、１４ｂ、１６ａ、１６ｂの長手軸は、集合管装置１０、１２の長手軸１０ａ、１２ａに対してそれぞれ垂直に延びている。
【００３１】
接続管１４ａ、１４ｂ、１６ａ、１６ｂないし管列３０ａ、３０ｂは、図１に示す形態においては、大体において、図３ａを用いて説明ないし図示するような形式に従って配置されている。その場合に特に、フィンないし波形フィン７０が設けられている。しかしまた、この形態を、特に他の形式で、たとえば図３ｂを用いて、あるいは図３ｃを用いて説明ないし図示するように、設けることもできる。従って特に、管列３０ａ、３０ｂが、特に集合管装置１０、１２の長手方向に見て、量ｔ／２（半ピッチ）だけ変位して配置されるようにすることができる。その場合に、それぞれ一貫した共通の波形フィン７０（図３ａを参照）の代りに、それぞれ２つの分離された波形フィン７０ａ、７０ｂ（図３ｂ）を設けることもできる。しかしまた、それぞれ共通の段付きの波形フィン７０を設けることもできる（図３ｃを参照）。
【００３２】
接続管１４ａ、１４ｂ、１６ａ、１６ｂは、それらの両方の端部の間でまっすぐに形成され、フラット管として形成されている。それぞれのフラット管の主要延び方向を通って広がる平面は、それぞれ集合管装置１０、１２の長手軸１０ａ、１２ａに対してそれぞれ垂直に延びている。
【００３３】
フラット管のそれぞれ対置される端部領域は、もちろん、好ましい形態においては、該当するフラット管の長手軸を中心に、特に好ましくは９０°回動されているが、異なる回動角度を与えることもできる。回動角度が９０°になる形態においては、好ましくは、これら端部の主要延び方向は−それぞれのフラット管の長手軸に対して垂直の断面において−長手軸１０ａ、１２ａの方向に位置している。これらの端部の間において、複数ないし全部のフラット管の該当する主要延び方向は、−すでに説明したように−集合管装置１０、１２の長手軸１０ａ、１２ａに対してほぼ垂直である。これが、集合管１０、１２のより小さい（内側の）横断面を実現することができる、という利点を有している。すなわち、たとえば、ＥＰ０８１４４３３Ｂ１の図１４と１５に示す形態においては、フラット管の内径が内側へ向かってフラット管幅によって制限されているが、これは本発明によれば、必ずしもそうなる必要はない。しかし、本発明によれば、集合管のそれぞれの内径は、フラット管幅よりも大きくすることもできる。
【００３４】
複数ないし全部の集合管２２、２４、２６、２８は、好ましい形態においては、特に一貫して、円形の内側断面を有している。特に好ましくは、そのジャケットも、円形ないし円筒状に形成することができる。
【００３５】
これらの接続管１４ａ、１６ａ、１４ｂ、１６ｂは、特に、好ましくはそこにそれぞれ設けられている開口部が端面に配置されるように形成することができる、それぞれの対置される端部（接続管の）において、それぞれ集合管装置１０、１２内へ挿入されているので、２つの集合管装置１０、１２は、それぞれ接続管１４ａ、１６ａ、１４ｂ、１６ｂの各々を介して流れ技術的に接続されている。接続管１４ａ、１６ａは、一方では、第１の集合管装置１０の第１の集合管２２内へ、そして他方では、第２の集合管装置１２の第１の集合管２６内へ連通し、接続管１４ｂ、１６ｂは、一方では、第１の集合管装置１０の第２の集合管２４内へ、他方では、第２の集合管装置１２の第２の集合管２８内へ連通している。そのためにそれに応じた開口部が集合管のジャケット面に形成されており、それら開口部は、好ましい形態においてはそれぞれスリット形状であって、特に好ましくは該当する集合管の長手方向に延びている。また、この種のスリットを、複数の集合管の端部を収容することができるような寸法に設計することもできる。しかし、好ましくは各スリットが正確に１つの接続管を収容するようにすることもできる。接続管１４ａ、１６ａ、１４ｂ、１６ｂは、これらの領域内でそれぞれ該当する集合管２２、２４、２６、２８ないし集合管装置と結合され、特に半田付けされ、好ましくは硬質半田付けされている。
【００３６】
２つの回動され、ないし捻られた端部領域３２ないし３４と、これらの端部領域の間に位置する領域との間の−それぞれの−移行領域は、たとえばストッパとして用いることができる；換言すると、接続管１４ａ、１６ａ、１４ｂ、１６ｂは、それらの端部３２、３４において、それぞれ集合管内へ、これらの端部の間に位置する、端部に対して回動され、ないしは向きを反転された領域が、それぞれ該当する集合管に当接するまで、挿入することができる。従ってこれらの移行領域は、組立て補助を形成する。端部は、もちろん、上述した主旨でストッパまで来ないように、挿入することもできる。
【００３７】
第１の管列３０のそれぞれ隣接する接続管１４ａ、１６ａの間に、それぞれ空気流のための間隙３６ａ、３８ａ、４０ａが形成される。同様にして、第２の管列３０ｂのそれぞれ隣接する接続管１４ｂ、１６ｂの間にそれぞれ空気流のための間隙３６ｂ、３８ｂ、４０ｂが形成される。従って熱伝達体１は、接続管１４ａ、１６ａ、１４ｂ、１６ｂの長手方向に対して横方向に、空気によって貫流されることができるので、接続管１４ａ、１６ａ、１４ｂ、１６ｂを通って流れる媒体と、間隙３６ａ、３８ａ、４０ａ、３６ｂ、３８ｂ、４０ｂを通って流れる空気との間の領域内で、熱を伝達することができる。流れる空気とその流れ方向が、図１に矢印端部ないし矢印４２によって図式的に示唆されている。間隙３６ａ、３８ａ、４０ａ内に、好ましくはフィンが配置されている。これらは、空気の流れ方向に空気によって貫流されることができる。
【００３８】
第１の集合管装置１０の第１の集合管２２、第２の集合管装置１２の第１の集合管２６およびこれらの集合管２２、２６内へその端部において連通する接続管１４ａ、１６ａが、熱伝達体１の第１の熱伝達体部分ないし第１の部分クーラー４４ａを形成する；同様にして、第１の集合管装置１０の第２の集合管２４、第２の集合管装置１２の第２の集合管２８およびこれらの集合管２４、２８内へその端部において連通する接続管１４ｂ、１６ｂが、熱伝達体１の第２の熱伝達体部分ないし第２の部分クーラー４４ａを形成する。これらの熱伝達体部分４４ａ、４４ｂは、空気流れ方向４２に相前後して配置されており、その場合に特に好ましい形態においては、第１の熱伝達体部分４４ａの間隙３６ａ、３８ａ、４０ａが、第２の熱伝達体部分の間隙と一直線に並んでいる。
【００３９】
集合管２２、２４、２６、２８の長手方向に見て、熱伝達体１は上と下にそれぞれ終端プレート４６、４８を有している。終端プレート４６、４８は、たとえば、接続管の配置を、−その長手方向においてもそれに対して横方向においても−ほぼ覆うものであることができる。それらは、特に２つの接続管列を覆うことができる。それらはまた、付加的に集合管の上ないし下を覆うものであることもできる；しかしそれら終端プレートは、それぞれ端部側に終端プレート４６、４８とは異なる閉鎖部を有することもできる。終端プレート４６、４８は、たとえば、金属薄板によって形成することができる。
【００４０】
１本ないし複数本の集合管２２、２４は、それぞれ少なくとも１つの分離壁５０、５２を有している。この種の分離壁５０、５２によって、それぞれの集合管２２ないし２４内に種々のチャンバ５４、５６ないし５８、６０を形成することができる。これは特に、分離壁５０ないし５２が、該当する集合管の軸方向に隣接して配置されているチャンバ５４、５６ないし５８、６０を分離するようにすることができる。
【００４１】
分離壁５０、５２は、たとえば−図１に示すように−流入側ないし冷凍剤流入側ないしそこに配置されている１本または複数本の集合管２２、２４上に設けることができ、ないしは、ＣＯ２のような、第１の媒体を流入させるための流入開口部が配置されている、集合管内に設けることができる。
【００４２】
図１によれば、冷凍剤流入側に位置する、２つの集合管２２、２４が、それぞれ分離壁５０、５２を有している；特に、第１の集合管配置のすべての集合管２２、２４がそれぞれ分離壁５０、５２を有することもできる。
【００４３】
同じ集合管装置１０の異なる集合管ないし２つの集合管２２、２４内に配置されている、分離壁５０、５２は、面積ないし容積が等しい領域を画成するように、位置決めすることができる。これは特に、集合管２２、２４の一方２２の中に、そこに位置決めされている分離壁５０によって画成される領域が、２つの集合管２２、２４の他方２４の中に、そこに設けられている分離壁５２によって画成される領域と、面積ないし容積が等しい、とすることができる。その場合に特に、これら２本の集合管２２、２４が、等しい長さである。この種の分離壁５０、５２の位置に関係なく、同一の集合管装置１０ないし１２の集合管２２、２４ないし２６、２８が等しい長さであることもできる。好ましい形態においては、さらに、すべての接続管１４ａ、１４ｂ、１６ａ、１６ｂが等しい長さである。
【００４４】
−図１に示すように−集合管２２、２４、２６、２８−および特にそれぞれ隣接する集合管２２、２４ないし２６、２８−が、その端部において互いに一直線になるようにすることができる。
【００４５】
図１に示す形態において、第１の集合管装置１０の、冷凍剤流入側に位置する（２つの）集合管２２、２４は、それぞれ分離壁５０、５２を有しており、それらが「温かい」ゾーンと「冷たい」ゾーンを分離する。２つの分離壁は、そこで、面積ないし容積の等しい領域を画成する。また、分離壁５０、５２が異なる領域またはわずかに異なる領域を画成することもできる。すなわち、たとえば、新しい空気へ向いた領域を１から３本のフラット管ないし接続管だけ異なるように形成することもできる。しかし、分離壁５０、５２が、同一の集合管装置１０の集合管２２、２４の、分離壁によって互いに分離される領域内に、それぞれ同一の数の接続管が連通するように位置決めされていると、特に効果的である。
【００４６】
流入開口部１８を通して流入する冷凍剤は、そこで好ましくは、１５０℃から１８０℃の領域にある、流入温度を有している。接続管に対して横方向に流れる空気によって、この冷凍剤が流れルートに沿って冷却される。これは、たとえば、冷凍剤の流出温度が、流入温度の約５０から１４０ケルビン下にあるように、行うことができる。たとえば、流入温度は約１８０℃であり、流出温度は約４５℃であることができる。
【００４７】
熱伝達体の流入開口部１８は、共通の流入開口部を形成し、次に−流れ方向に−２つの熱伝達体部分４４ａ、４４ｂへ分割された媒体が、その流入開口部を通って流入する。２つの熱伝達体部分４４ａ、４４ｂへ流入するために、流入開口部１８の下流側に、第１の集合管装置１０の第１の集合管２２内の、図示されていない流入開口部と、第１の集合管装置１０の第２の集合管２４内の、図示されていない流入開口部が設けられている。同様に、熱伝達体１の流出開口部２０は、共通の流出開口部を形成し、その場合に第１の集合管装置１０の第１の集合管２２内と、第１の集合管装置１０の第２の集合管２４内に、それぞれ図示されていない流出開口部が設けられており、それらは流出開口部２０の上流側に設けられている。
【００４８】
媒体は、図１に示す形態においては、ここで第１の集合管装置１０の一方の側に位置する流入側において、再びまた流出するように、案内される；熱伝達体１の流入側と流出側が異なる側に位置するようにすることも可能であって、従ってたとえば、流入側は第１の集合管装置１０の側に、流出側は第２の集合管装置１２の側に位置し、その場合には流出開口部は第２の集合管装置１２の第１の集合管２６と第２の集合管２８内に設けられており、この流出開口部の下流側において共通の流出開口部２０が第２の集合管装置１２の側に位置している。
【００４９】
流入開口部１８および流出開口部２０の領域内に、それぞれ、流入ないし流出する媒体のためのフランジないし流体接続片６２、６４が設けられており、その中に流入開口部１８ないし流出開口部２０が設けられている。
【００５０】
図１に示す形態においては、両方ないし一方の集合管装置−ないしそれぞれその集合管−が、方向変換装置として作用する。
【００５１】
２つの管列３０ａ、３０ｂの冷凍剤が熱伝達体１をその幅で貫流した後に、冷凍剤は２つの対向する集合管２６、２８内で方向変換されて、それによってその後流入側で熱伝達体１を再び離れることができる。
【００５２】
しかしまた、媒体ないし冷凍剤を複数の分離壁の使用によって蛇行して案内することができる。これが、たとえば、冷凍剤の入口と出口が対角線状に位置決めされることを、もたらすことができる。一部は第１の集合管装置の集合管内に、そして一部は第２の集合管装置の集合管内に位置決めすることができる複数の分離壁を、冷凍剤が再び流入側で流出するように配置することもできる。
【００５３】
また、温かいゾーンと冷たいゾーン、ないし等しい熱伝達体部分ないしそれぞれ等しい管列のそれぞれ隣接する、逆方向に貫流される接続管の間に、熱分離が与えられているようにすることもできる。これは、たとえば、集合管が、仕切壁が設けられる箇所において他のピッチを有しているので、そこではフィンが１つまたは各接続管列ないしフラット管列の（それぞれ２つの）隣接する接続管ないしフラット管の１つだけに半田付けされていることによって、得られる。
【００５４】
隣接する接続管ないしフラット管のピッチないし間隔は、それぞれ等しくすることができる。その場合に、１つないし複数の冷たいゾーンと１つないし複数の温かいゾーンとの間の移行領域内で熱的な分離を得るために、それぞれ同じ接続管列３０ａ、３０ｂの隣接する、異なる方向に貫流される接続管の間に、より大きい間隔が与えられるようにすることができる。集合管装置の長手軸１０ａ、１２ａの方向における全部のフィンの広がりが等しいようにすることができる。これらのフィンは、たとえばそれぞれ（長手方向１０ａ、１２ａに見て）隣接する接続管と半付けすることができる。また、フィンがそれぞれ２つの熱伝達体部分にわたって延びるようにすることもできるので、それぞれ隣接する接続管の間にそれぞれ、２つの熱伝達体部分ないし２つの管列３０ａ、３０ｂに共通のフィンが設けられている。
【００５５】
熱的な分離が設けられている限りにおいて、熱的に分離するために隣接する接続管のより大きい間隔が与えられている領域内で、そこに配置されている１つまたは複数のフィンがそれぞれ長手方向１０ａ、１２ａに隣接する接続管の１つだけに半田付けされるようにすることができる。
【００５６】
フィンは、接続管列３０ａ、３０ｂ内でそれぞれ上方の終端プレート４６と、長手方向１０ａ、１２ａに隣接する接続管１４ａないし１４ｂの間にも設けることができる。さらに、フィンは、接続管列３０ａ、３０ｂ内でそれぞれ下方の終端プレート４８とそれぞれの接続管列の、長手方向１０ａ、１２ａに隣接する接続管１４ａないし１４ｂとの間にも、設けることができる。
【００５７】
好ましい形態においては、２つの熱伝達体部分４４ａ、４４ｂを有する熱伝達体１は、一体的に形成されており、ないしは一体的な部分になるように結合されている。好ましい形態においては、熱伝達体を半田構造として形成することができる。
【００５８】
分離壁５０、５２によってチャンバ５４、５６、５８、６０に分割されている集合管の代りに、軸方向に隔たった、ないしは互いに連続する、別々の集合管部分を設けることもでき、その場合に好ましくは、この種の集合管部分の横断面は同一であって、かつこれらは同心に配置されている。
【００５９】
図１に示す形態においては、それぞれ同じ熱伝達体部分４４ａ、４４ｂ内で、流入側には流出側よりも少ない、（同じ流れ方向に）平行に貫流される接続管が設けられている。
【００６０】
熱伝達体部分４４ａ、４４ｂは、図１に示す形態においては、特にそれぞれの熱伝達体部分４４ａ、４４ｂの流入開口部と流出開口部の間の流れガイドに関して、それぞれ等しく形成されている。フィンも、−特に共通のフィンが設けられていない場合に−、２つの熱伝達体部分４４ａ、４４ｂ内に等しく形成し、かつ配置することができる。等しい流れ方向は、所定の適用場合において、流れ技術的な利点を有することができる。特に好ましくは、２つの熱伝達体部分を等しく形成することができ、それが流れ技術的に効果的であって、しかも特に異なるように形成される部品の多様性を減少させることができる。しかし、２つの熱伝達体部分のそれぞれの流入開口部および流出開口部は異なるように、特に異なる高さに、かつ／または集合管の長手軸を中心に回動されて、それに応じたチャンバへ連通するように、位置決めできることに、注意しなければならない；しかしまた、それらを同じように形成することもできる。
【００６１】
特に図１に示す形態において、第１の媒体、特に冷凍剤は、第１の集合管装置１０内へ流入する場合に、少なくとも２つの部分流に、好ましくは、第１の管列３０ａと第２の管列３０ｂの接続管１４ａ、１６ａないし１４ｂ、１６ｂ、特にフラット管への、正確に２つの部分流に分割される。これは特に、この分割が第１の媒体を流入させるための接続片６２によってもたらされるようにすることができる。たとえばそのために、接続片６２が少なくとも１つの流入開口部と少なくとも２つの流出開口部を有するようにすることができ、その場合にこれら流出開口部の一方を介して第１の集合管装置１０の第１の集合管２２の内部との流れ接続が形成され、かつその場合にこれら流出開口部の他方を介して第１の集合管装置１０の第２の集合管２４の内部との流れ接続が形成される。集合管２２、２４への媒体の流入を可能にする、然るべき開口部が、集合管２２、２４に設けられている。その場合に、第１の媒体の体積流は、たとえば５０％：５０％の比で分割することができる；しかしまた異なる比も効果的である。
【００６２】
冷凍剤は、−好ましくは最も温かいゾーンの位置を考慮しながら−フランジを介して２つの管列内へ同時に流入する。
【００６３】
図１に示す熱伝達体１は、−特に２つの幅狭のフラット管列を使用することによって、かつ／または肉薄の集合管を使用することによって−わずかな重量を有している。コストのかかる移行片は省かれ、半田安全性が向上される。冷凍剤側の圧力降下が減少される。すべてのフラット管が、低温出力に寄与し、それが出力向上をもたらす。
【００６４】
図２は、図１に示す形態に対する流れガイドを図式的に示している。
【００６５】
図２から、第１の媒体が第１の集合管装置１０内へ流入する場合に、第１の管列（３０ａ）および第２の管列（３０ｂ）のフラット管ないし接続管１４ａ、１６ａないし１４ｂ、１６ｂへの２つの部分流に分割されることも、理解される。
【００６６】
図３ａ、３ｂおよび３ｃは、−それぞれ部分的な断面図において−管列３０ａ、３０ｂないしその相対配置のための実施形態の例ないし、管列の接続管の間に配置されているフィンの形態についての実施形態の例を示している。図３ａから３ｃに示すこの形態は、本発明に基づく形態において、特に図１ないし図２に示す形態における好ましい展開において与えられる。それについて、フィンないし接続管の数（列当たり）は、通常、図３ａから３ｂに図式的ないし部分的に示されているよりも多く、ないしはずっと多いことに注意すべきである。
【００６７】
図３ａから３ｃに示す形態において、波形フィンないしフィン７０は、間隙３６ａ、３６ｂないし３８ａ、３８ｂないし４０ａ、４０ｂ内に、好ましくは管列３０ａ、３０ｂのそれぞれ隣接する接続管１４ａ−１４ａないし１４ａ−１６ａないし１６ａ−１６ａなしい１４ｂ−１４ｂないし１４ｂ−１６ｂないし１６ｂ−１６ｂの間に与えられているすべての間隙３６ａ、３６ｂ、３８ａ、３８ｂ、４０ａ、４０ｂ内に位置決めされている。
【００６８】
図３ａから３ｂに示す形態において、特に、第１の管列３０ａのピッチｔは第２の管列３０ｂのピッチｔに相当し、かつ特に好ましくはそれぞれ一定である。また、それぞれの管列３０ａ、３０ｂ内の互いに連続する、逆方向に貫流される接続管１４ａ−１６ａないし１４ｂ−１６ｂ間でこれらの接続管の異なる間隔ないし異なるピッチが設けられるようにすることもできる。この異なる間隔ないし異なるピッチは、たとえば熱的に分離するために、それぞれ同一の管列３０ａ、３０ｂの残りの、それぞれ隣接する接続管の間よりも、大きくすることができる。
【００６９】
図３ａから３ｂにおいて、それぞれの矢印は、空気の（好ましい）流れ着く方向を示している。なお、図において同一の参照符号は、互いにほぼ相当する部分を示すものである。
【００７０】
図３ａは、隣接する管列３０ａ、３０ｂの接続管が互いに対してほとんど変位されずに配置されている形態の例を示している。管列３０ａ、３０ｂの長手方向に対して垂直に見て、第１の管列３０ａの各接続管１４ａないし１６ａに隣接して、第２の管列３０ｂの接続管１４ｂないし１６ｂが配置されている。これに関してはもちろん、２つの管列内の接続管の数を異ならせることもできるので、第１の管列３０ａの各接続管１４ａないし１６ａの隣りに第２の管列３０ｂの接続管１４ｂないし１６ｂが配置されていないこともあり得ることに、注意しなければならない。図３ａに示す形態においては、接続管１４ａ、１４ｂないし１６ａ、１６ｂはフラット管として形成されており、その場合に異なる管列３０ａ、３０ｂの隣接するフラット管は、ほぼ同じ平面に配置されている。
【００７１】
フィン７０は、図３ａに示す形態においては、２つの管列３０ａ、３０ｂのために共通ないしつながったフィン７０である。従って、フィン７０はそれぞれ、第１の管列３０ａの隣接する接続管１４ａないし１６ａの間および第２の管列３０ｂの隣接する接続管１４ｂないし１６ｂの間に延びており、その場合に特に、これらのフィン７０は一体的に形成されている。
【００７２】
図３ｂは、管列３０ａ、３０ｂが互いに対して半ピッチｔ／２だけ変位して配置されている形態を示している。図３ｂに示す形態において、管列３０ａ、３０ｂのために別々の、ないしは異なる波形フィンないしフィン７０ａ、７０ｂが設けられている。
【００７３】
図３ｃに示す形態においては、管列３０ａ、３０ｂは−図３ｂに示す形態におけるように−互いに対して半ピッチｔ／２だけ変位している。図３ｃに示す形態は、図３ｂに示す形態とは、大体において、管列３０ａ、３０ｂのために異なる波形フィンないしフィン７０ａ、７０ｂ（図３ｂを参照）の代りに、共通の、段付きの波形フィンないしフィン７０が設けられていることによって、異なっている。
【図面の簡単な説明】
【００７４】
【図１】本発明に基づく熱伝達体の例を図式的な表示で示している。
【図２】図１に示す形態における冷凍剤の流れ案内を原理的な図式で示している。
【図３】図３ａは、管列と波形フィンの第１の形態と配置の例を示しており、図３ｂは管列と波形フィンの第２の形態と配置の例を示しており、第３ｃは管列と波形フィンの第３の形態と配置の例を示している。
【符号の説明】
【００７５】
１  熱伝達体、ガスクーラー
１０  第１の集合管装置
１０ａ  １０の長手軸
１２  第２の集合管装置
１２ａ  １２の長手軸
１４ａ  接続管ないしフラット管
１４ｂ  接続管ないしフラット管
１６ａ  接続管ないしフラット管
１６ｂ  接続管ないしフラット管
１８  流入開口部
２０  流出開口部
２２  集合管
２２ａ  ２２の長手軸
２４  集合管
２４ａ  ２４の長手軸
２６  集合管
２６ａ  ２６の長手軸
２８  集合管
２８ａ  ２８の長手軸
３０ａ  第１の管列
３０ｂ  第２の管列
３２  １４ａ、１４ｂ、１６ａ、１６ｂの第１の端部領域
３４  １４ａ、１４ｂ、１６ａ、１６ｂの第２の端部領域
３６ａ  １４ａと１４ａの間の間隙
３６ｂ  １４ｂと１６ｂの間の間隙
３８ａ  １４ａと１６ａの間の間隙
３８ｂ  １４ｂと１６ｂの間の間隙
４０ａ  １６ａと１６ａの間の間隙
４０ｂ  １４ｂと１６ｂの間の間隙
４２  矢印、流れ方向
４４ａ  １の第１の熱伝達体部分
４４ｂ  １の第２の熱伝達体部分
４６  終端プレート
４８  終端プレート
５０  ２２内の分離壁
５２  ２４内の分離壁
５４  ２２内の第１のチャンバ
５６  ２２内の第２のチャンバ
５８  ２４内の第１のチャンバ
６０  ２４内の第２のチャンバ
６２  媒体を流入させるためのフランジないし接続片
６４  媒体を流出させるためのフランジないし接続片
７０  波形フィン
７０ａ  波形フィン
７０ｂ  波形フィン
【図１】
2007532856.tif 000003
【図２】
2007532856.tif 000004
【図３】
2007532856.tif 000005
【国際調査報告】
2007532856.tif 000006
2007532856.tif 000007
2007532856.tif 000008
2007532856.tif 000009
2007532856.tif 000010
2007532856.tif 000011